(57)【要約】【課題】電波を遮断する筐体の内部に表示装置を有している電子機器の従来構成からの変形を抑えつつ、金属製等の筐体でも無線通信が妨げられないようにアンテナを設ける。【解決手段】開口部１１１が形成され電波を遮断する（例えば、金属製）筐体１１を有している電子機器１は、開口部１１１に設けられ可視光及び電波を透過する表示パネル１２１１と、筐体１１内部に設けられ表示パネル１２１１を透過する可視光により情報を表示するアノード１２４とを有する蛍光表示管１２０を備える。アンテナ１３０は、アノード１２４から表示パネル１２１１に向かう可視光を妨げないように蛍光表示管１２０に設けられ、開口部１１１を通過する電波を受信し又は送信するものである。表示パネル１２１１は開口部１１１を通過する電波を遮断しないから、アンテナ１３０により送受信される電波の伝搬が無線通信を阻害する程度に筐体１１で妨げられることはない。【選択図】図５
2012093381.tif 000002
【特許請求の範囲】
【請求項１】
少なくとも本体前面部が電波を遮断する部材で構成され、かつ、開口部が形成されている筐体を有している電子機器であって、
前記開口部に設けられ可視光及び電波を透過する表示パネルと、前記筐体内部に設けられ前記表示パネルを透過する可視光により情報を表示する表示素子とを有している表示装置と、
前記表示素子から前記表示パネルに向かう可視光を妨げないように前記表示装置に設けられ、前記開口部を通過する電波を受信し又は送信するアンテナと
を備えることを特徴とする電子機器。
【請求項２】
前記表示装置は、自機を電気的に動作させるための配線パターンが構成される基板、及び前記配線パターンが構成されない基板として少なくとも前記表示パネルを有し、
前記アンテナは、前記表示パネルの前記筐体内部側の面に設けられる
ことを特徴とする請求項１に記載の電子機器。
【請求項３】
前記表示パネルは、前記情報の表示に用いられる表示領域と、当該表示領域の周囲に設けられ、当該表示領域よりも可視光を透過する割合が低い非表示領域とにより表示面が構成され、
前記アンテナは、前記表示面の法線方向に対して前記非表示領域に重なる位置に設けられる
ことを特徴とする請求項１又は２に記載の電子機器。
【請求項４】
前記アンテナは、第１のアンテナと第２のアンテナとを含み、
前記表示面の法線方向に対して前記表示領域に重なる領域を当該表示面に平行な方向に挟んだ一方の側に前記第１のアンテナが設けられ、他方の側に前記第２のアンテナが設けられる
ことを特徴とする請求項３に記載の電子機器。
【請求項５】
可視光及び電波を透過する表示パネルと、
前記表示パネルを透過する可視光により情報を表示する表示素子と、
前記表示パネルを通過する電波を受信し又は送信するアンテナが装着される装着部であって、装着されたアンテナが前記表示素子から前記表示パネルに向かう可視光を妨げないように設けられた装着部と
を備えることを特徴とする表示装置。
【発明の詳細な説明】
【技術分野】
【０００１】
本発明は、無線通信デバイスを備える電子機器及び表示装置に関する。
【背景技術】
【０００２】
オーディオビデオプレーヤなどの電子機器で、無線ＬＡＮ（Local Area Network）等による無線通信を行うための無線通信デバイスを標準装備したものが普及している。例えば、特許文献１は、液晶表示装置等の表示装置にアンテナを設けることを開示している。
【先行技術文献】
【特許文献】
【０００３】
【特許文献１】特開２００４−３０２４３５号公報
【発明の概要】
【発明が解決しようとする課題】
【０００４】
電子機器の強度や耐久性を向上させるため又は電子機器の高級感を醸し出すために、アルミ製などの金属製の筐体が電子機器に用いられることがある。このような筐体は、電波を遮断する性質を持つために、無線通信機能を備えた電子機器では、無線通信が妨げられてしまうことがあった。そこでこれらを解決するためには、アンテナの設置位置や設置方法等を工夫する必要があるが、それには電子機器の製造工程が複雑化するという問題があった。
これに対し、本発明の目的は、電波を遮断する筐体の内部に表示装置を有している電子機器の従来構成からの変形を抑えつつ、金属製等の筐体でも無線通信が妨げられないようにアンテナを設けることである。
【課題を解決するための手段】
【０００５】
上述した目的を達成するために、本発明に係る電子機器は、少なくとも本体前面部が電波を遮断する部材で構成され、かつ、開口部が形成されている筐体を有している電子機器であって、前記開口部に設けられ可視光及び電波を透過する表示パネルと、前記筐体内部に設けられ、前記表示パネルを透過する可視光により情報を表示する表示素子とを有している表示装置と、前記表示素子から前記表示パネルに向かう可視光を妨げないように前記表示装置に設けられ、前記開口部を通過する電波を受信し又は送信するアンテナとを備えることを特徴とする。
【０００６】
本発明の好ましい態様において、前記表示装置は、自機を電気的に動作させるための配線パターンが構成される基板、及び前記配線パターンが構成されない基板として少なくとも前記表示パネルを有し、前記アンテナは、前記表示パネルの前記筐体内部側の面に設けられる。
本発明の別の好ましい態様において、前記表示パネルは、前記情報の表示に用いられる表示領域と、当該表示領域の周囲に設けられ、当該表示領域よりも可視光を透過する割合が低い非表示領域とにより表示面が構成され、前記アンテナは、前記表示装置のうち前記表示面の法線方向に対して前記非表示領域に重なる位置に設けられる。
これらの態様において、前記アンテナは、第１のアンテナと第２のアンテナとを含み、前記表示面の法線方向に対して前記表示領域に重なる領域を当該表示面に平行な方向に挟んで、一方の側に前記第１のアンテナが設けられ、他方の側に前記第２のアンテナが設けられてもよい。
【０００７】
本発明に係る表示装置は、可視光及び電波を透過する表示パネルと、前記表示パネルを透過する可視光により情報を表示する表示素子と、前記表示パネルを通過する電波を受信し又は送信するアンテナが装着される装着部であって、装着されたアンテナが前記表示素子から前記表示パネルに向かう可視光を妨げないように設けられた装着部とを備えることを特徴とする。
【発明の効果】
【０００８】
本発明によれば、電波を遮断する筐体の内部に表示装置を有している電子機器の従来構成からの変形を抑えつつ、金属製等の筐体でも無線通信が妨げられないようにアンテナを設けることができる。
【図面の簡単な説明】
【０００９】
【図１】本発明の一実施形態に係る電子機器の外観を示す斜視図
【図２】電子機器の外観を示す分解斜視図
【図３】同実施形態に係る電子機器のハードウェア構成を示すブロック図
【図４】同実施形態に係る電子機器の正面図
【図５】図４のＶ−Ｖ線断面図（実施形態）
【図６】図４のＶ−Ｖ線断面図（変形例１）
【図７】図４のＶ−Ｖ線断面図（変形例１）
【発明を実施するための形態】
【００１０】
［実施形態］
以下、図面を参照しつつ本発明の一実施形態を説明する。
図１は、電子機器１の外観を示す斜視図である。図２は、電子機器１の外観を示す分解斜視図である。
電子機器１は、ＣＤ（Compact Disk）／ＤＶＤ（Digital Versatile Disc）／ＢＤ（Blu-ray（登録商標） Disc）等の記録媒体から読み出した映像／音楽を再生するとともに、無線通信により外部装置から受信したコンテンツを再生する機能を備えたオーディオビデオプレーヤである。電子機器１は、直方体状であり、電波を遮断する筐体１１を有している。ここでは、筐体１１は例えばアルミを用いた金属製であり、後述するアンテナ１３０を用いた無線通信を妨げる程度に電波を遮断するものである。この実施形態での電波は、無線ＬＡＮ等の無線通信に用いられる周波数帯（例えばギガヘルツ帯）に成分を持つものであり、後述するアンテナ１３０を介した無線通信に用いられるものである。また、図２に示すように、電子機器１の本体前面部（以下、「前面」という。）には、電子機器１の幅方向に長手方向が一致するように、矩形状の開口部１１１が形成される。電子機器１においては、筐体１１の開口部１１１に各種の情報が表示される表示面１４が位置するように、蛍光表示管１２０が筐体１１内部に設けられる。表示面１４は、ここでは、開口部１１１と同一寸法、かつ、同一形状である。蛍光表示管１２０で表示面１４に表示される情報は、電子機器１で再生中のコンテンツの演奏時間やコンテンツの名称等である。筐体１１の前面には、これ以外にも、複数の操作ボタン１２や、記録媒体が格納され開閉可能なトレイ１３が設けられる。
【００１１】
図３は、電子機器１のハードウェア構成を示すブロック図である。図３に示すように、電子機器１の構成は、電子部品群１１０と、蛍光表示管１２０と、アンテナ１３０とに大別される。電子部品群１１０は、筐体１１に覆われて電子機器１に設けられ、操作ボタン１２の操作に応じた制御や、トレイ１３に格納された記録媒体からコンテンツを読み出して再生するための制御など、電子機器１の動作を制御するための電子回路等を有している。また、電子部品群１１０は、アンテナ１３０を用いた電波の送受信により実現される無線通信を行うための無線通信モジュールとしての電子回路を備える。このように、電子部品群１１０は、電子機器１がオーディオビデオプレーヤとしての機能を発揮するために必要な様々な電子部品を有している。
【００１２】
蛍光表示管１２０は、本発明の表示装置の一例であり、電子部品群１１０の制御の下で表示面１４を透過する光（つまり、可視光）により情報を表示するものである。蛍光表示管１２０の構成については後述する。この実施形態の可視光は、例え３８０ｎｍ〜７８０ｎｍの周波数帯に成分を持つものであるが、情報（画像）の表示を目的に用いられる波長の光であり、人間に視認させることを目的として用いられる光であればよい。
【００１３】
アンテナ１３０は、アンテナエレメントパターンが形成されたプリント配線板を備え、電子部品群１１０の無線通信モジュール制御の下で、無線通信を実現するために用いられる。電子機器１は、アンテナ１３０ａ，１３０ｂという２つのアンテナを備える（図４，５参照）。アンテナ１３０ａは本発明の第１のアンテナの一例であり、アンテナ１３０ｂは本発明の第２のアンテナの一例である。アンテナ１３０ａ，１３０ｂをそれぞれ特に区別する必要がない場合には、以下では「アンテナ１３０」と総称する。
以上のように、電子機器１では、電子部品群１１０の無線通信モジュールとアンテナ１３０とによって無線通信デバイスが構成される。
続いて、蛍光表示管１２０及びアンテナ１３０の構成についてより具体的に説明する。
【００１４】
図４は、電子機器１の正面図である。図４には、電子機器１の前面のうち表示面１４周辺を正面からみた様子が図示されている。図５は、電子機器１をある高さ位置で切断した場合の蛍光表示管１２０の断面図である（図４のＶ−Ｖ線断面図）。
蛍光表示管１２０は、外囲器１２１と、フィラメントカソード１２２と、グリッド電極１２３と、複数のアノード１２４と、一対の支持部材１２５とを備える。
外囲器１２１は、高真空雰囲気を内部空間に保持するものであり、第１基板である表示パネル１２１１と、表示パネル１２１１と対向するように配置され、アノード１２４が配置される第２基板である背面基板１２１２と、表示パネル１２１１と背面基板１２１２との間でこれらと接合される、一対の第３基板である側板１２１３とを備える。ここでは、表示パネル１２１１、背面基板１２１２及び側板１２１３のそれぞれが、例えば透明又は半透明であり、可視光を透過するものである。例えば、表示パネル１２１１、背面基板１２１２及び側板１２１３のそれぞれは、プラスチック等の樹脂材料やガラスといった透光性を有している素材を用いて平板状に形成される。また、表示パネル１２１１、背面基板１２１２及び側板１２１３はそれぞれ、アンテナ１３０により送受信される電波を透過するものである。すなわち、外囲器１２１は、その全体が可視光及び電波を透過するものである。
【００１５】
表示パネル１２１１のうち、筐体１１の外側を向く面が表示面１４である。一方、表示パネル１２１１の表示面１４とは反対側の面には、装着部１２１１ａが設けられる。装着部１２１１ａは、凹状をなすように形成された一対の構成である。一方の装着部１２１１ａには、アンテナ１３０ａが嵌め込まれ、他方の装着部１２１１ａには、アンテナ１３０ｂが嵌め込まれる。
なお、装着部１２１１ａへのアンテナ１３０の装着については、別途金具などの固定部材が用いられてもよく、アンテナ１３０の固定の仕方について周知の方法を採用することができる。また、装着部１２１１ａは表示パネル１２１１と一体成形されてもよい。
【００１６】
フィラメントカソード１２２は、外囲器１２１の内部に設けられ、表示面１４に平行に、電子機器１の幅方向に延在する。フィラメントカソード１２２は、その延在方向に直交するように複数並べられており、隣り合うもの同士の間隔はそれぞれほぼ同一である。フィラメントカソード１２２は、例えば、直径数μｍから数十μｍのタングステン等の芯線の表面に、電子放出物質として、例えばアルカリ土類金属の炭酸塩を被着させたものである。フィラメントカソード１２２は、電子部品群１１０の制御の下で図示せぬ陰極を介して各端に電圧が印加され、その印加電圧に応じて温度が上昇して熱電子を放射する。
【００１７】
グリッド電極１２３は、外囲器１２１の内部に設けられ、支持部材１２５によって両端部が支持されている。グリッド電極１２３は、フィラメントカソード１２２とアノード１２４とに挟まれ、かつ、それらと離間するように平面状に構成される。グリッド電極１２３は、メッシュ状に平面状に形成され、アノード１２４の全体を覆うように設けられる。グリッド電極１２３は、支持部材１２５の位置で図示せぬ電極を介して電圧が印加され、その印加電圧に応じて陽極となる。グリッド電極１２３は、正電圧が印加されると、フィラメントカソード１２２から放射された熱電子を加速させて、アノード１２４に電子を衝突させる。逆に、グリッド電極１２３は、負電圧が印加されるとアノード１２４も向かう電子を遮断させる。
【００１８】
アノード１２４は、本発明の表示素子の一例であり、陽極導体と、陽極導体に積層された蛍光体層とを有し、それぞれが表示パターンをなすように背面基板１２１２に複数設けられる。アノード１２４では、グリッド電極１２３により加速させられた電子が蛍光体層に電子が衝突すると、蛍光体層が励起し、光電子に変化して発光する。アノード１２４は、電子部品群１１０の制御の下で駆動させられ、表示パネル１２１１を透過する光により情報を表示する。また、アノード１２４が設けられる背面基板１２１２には、アノード１２４を駆動させるために、図示せぬリードとアノード１２４を電気的に接続する配線パターンや、リードとグリッド電極１２３とを電気的に接続する配線パターンなど、電子機器１（ここでは、蛍光表示管１２０）を電気的に動作させるための配線パターンが背面基板１２１２には構成されている。かかるリードは、蛍光表示管１２０内部の電極に必要な電圧や電気信号を供給するための引き出し電極である。一方で、外囲器１２１の背面基板１２１２以外の基板である、表示パネル１２１１及び側板１２１３には、電子機器１を電気的に動作させるための配線パターンが設けられていない。
【００１９】
ところで、図４に示すように、表示面１４は、表示領域１４１と非表示領域１４２とにより構成される。表示領域１４１は、表示面１４の一部であり図４の二点鎖線で示した矩形の領域である。表示領域１４１は、アノード１２４の駆動に応じた情報の表示に用いられる領域である。表示領域１４１には、アノード１２４が発光する可視光を透過する程度の透光性を確保する程度のスモークフィルムが貼り付けられており、表示面１４への情報の表示を妨げることなく、電子機器１内部の機器類が目視されにくくされている。非表示領域１４２は、表示面１４のうちの表示領域１４１を除く領域である。非表示領域１４２は、表示領域１４１よりも可視光を透過する割合が低く、アノード１２４の駆動に応じた情報の表示に用いられない領域である。
【００２０】
ここでは、表示領域１４１は、表示面１４の法線方向に対してアノード１２４が配置される領域に重なる。非表示領域１４２は、表示領域１４１を取り囲む領域であり、表示面１４の法線方向に対してアノード１２４が配置される領域に重なっていない。非表示領域１４２は、例えば、黒色の着色剤を用いて印刷が施されており、光をほぼ透過させない。非表示領域１４２は、例えば、電子機器１内部に設けられた電子部品群１１０や蛍光表示管１２０の構成部品が目視されることを防ぐためこのような印刷が施されるが、これ以外にも、表示面１４に表示される情報を説明するための文字などが印刷されることがある。
続いて、蛍光表示管１２０に設けられるアンテナ１３０に関して説明する。
【００２１】
アンテナ１３０は、装着部１２１１ａに装着されて固定されるとともに、電子部品群１１０の無線通信モジュールと特性インピーダンス５０Ωの同軸線で電気的に接続される。かかる接続について、従来方式と同様、電子部品群１１０と電気的に接続される特性インピーダンス５０Ωの同軸コネクタが蛍光表示管１２０に設けられており、アンテナ１３０とこのコネクタとが電気配線により接続される。電子機器１においてアンテナ１３０ａ，１３０ｂという２つのアンテナが設けられているのは、電子機器１において、いわゆるダイバーシティを実現するためである。すなわち、アンテナ１３０ａ，１３０ｂの各アンテナで受信された同一の信号について、電波状況の優れたアンテナの信号を優先的に用いたり、受信した信号を合成してノイズを除去したりすることによって、通信の質や信頼性の向上を図ることを目的として、このような電子機器１の構成とされる。図５からも分かるように、アンテナ１３０ａ，１３０ｂは、電子機器１の幅方向に対してアノード１２４が配置された領域を挟んで対向するように設けられる。
【００２２】
アンテナ１３０は、複数のアノード１２４から表示パネル１２１１に向かう可視光を妨げないように蛍光表示管１２０に設けられる。この実施形態では、アンテナ１３０は、蛍光表示管１２０の表示パネル１２１１のうち筐体１１内部側の面に設けられる。このようなアンテナ１３０の配置を実現するべく、装着部１２１１ａは、アンテナ１３０が複数のアノード１２４から表示パネル１２１１に向かう可視光の光路上でない、表示パネル１２１１のうち筐体１１内部側の面に設けられる。
【００２３】
アンテナ１３０は、アンテナエレメントパターンが形成された面（以下、「パターン形成面」という。）が、外囲器１２１の内部空間を向くように装着される。これにより、アンテナ１３０のパターン形成面と筐体１１の外部との間で、開口部１１１を介した電波の伝搬が可能となる。また、アンテナ１３０は、表示面１４の法線方向に対してそのほぼ全体が非表示領域１４２に重なるように装着されている。これにより、図５に示す位置にアンテナ１３０が設けられても、非表示領域１４２の存在によりアンテナ１３０が外部から目視されない。更に、アンテナ１３０が設けられる位置は、表示面１４の法線方向に対して非表示領域１４２及び支持部材１２５が設けられた領域に重なっているから、従来の蛍光表示管に比べて、電子機器１の幅方向に蛍光表示管１２０の寸法を増大させる必要がない。要するに、蛍光表示管１２０で配線パターンが設けられていない基板である表示パネル１２１１において、非表示領域１４２の反対側の領域は従来の蛍光表示管でも空きスペースとして存在していたが、蛍光表示管１２０ではこの領域を利用して、アンテナ１３０が設けられるわけである。
なお、表示面１４の法線方向に対してアンテナ１３０の全体が非表示領域１４２に重なっていると好ましいが、その一部が筐体１１等に重なっていても構わない。
【００２４】
また、アンテナ１３０は、蛍光表示管１２０の背面基板１２１２でない基板であって、配線パターンが設けられていない基板である表示パネル１２１１に設けられるようにすることで、配線パターンから発生する電気的なノイズ等が、アンテナ１３０により送受信される無線通信に用いられる電波と干渉することを抑えることができる。特に、表示パネル１２１１が、配線パターンが構成される背面基板１２１２とは相対的に大きい距離を隔てて設けられ、かつ、開口部１１１に相対的に近い位置に設けられた基板であることも、他の基板に比べて、アンテナ１３０を設ける基板として好適な理由である。以上の構成により、電子機器１によれば、アンテナ１３０が送受信する電波が蛍光表示管１２０の表示上の不具合を与えたり、蛍光表示管１２０にも受けられる電気系統がアンテナ１３０における電波の送受信に与えたりする、という不都合をより確実に抑えられる。
なお、蛍光表示管１２０において、アンテナ１３０が設けられる空間と、アノード１２４が設けられる空間とが、これらの空間同士の電波の伝搬が抑えられるように隔絶されていると、かかる不都合をより一層抑えられる。
【００２５】
以上の構成で蛍光表示管１２０にアンテナ１３０が装着されることにより、アンテナ１３０と筐体１１の外部との間に、開口部１１１（表示パネル１２１１）を含む電波の伝搬経路が構成される。よって、電子機器１では、金属製の筐体１１に妨げられることなく、アンテナ１３０を用いて外部と無線通信を行うことができる。具体的には、外囲器１２１（特に、表示パネル１２１１）は電波を透過させる素材で構成されているから、開口部１１１が表示パネル１２１１で塞がれていても、表示パネル１２１１が電波の伝搬の妨げとならない。このように、電子機器１の構成では、筐体１１が電波を遮断する金属等の素材で形成されていても、筐体１１がアンテナ１３０の電波の送受信の感度に与える影響を殆ど無視することができる。
【００２６】
以上説明したように、金属等の電波を遮断する筐体の内部に表示装置を有している電子機器においては、表示パネルを設けるための開口部が筐体に形成されているという、従来からの構造的特徴を利用して、電子機器１では、開口部１１１を介した電波の送受信が可能となるように開口部１１１（表示面１４）の近傍にアンテナ１３０が設けられる。これにより、従来構成の電子機器の構造に対して特殊な加工処理を施すなどの変形を抑えつつ、筐体１１により無線通信が妨げられないようにアンテナ１３０を設置することができるから、無線通信デバイスを備えた電子機器の製造工程が複雑化することはない。また、アンテナ１３０は、表示面１４の法線方向に対して非表示領域１４２にほぼ全体が重なるように設けられるので、蛍光表示管１２０に設けられたアンテナ１３０が、表示パネル１２１１を介して外部から目視されることがない。更に、蛍光表示管のグリッド電極のような構成部品を支持する支持部材は、グリッド電極の両端部付近に設けられるのが一般的である。よって、表示面１４の法線方向に対して支持部材１２５に重なる位置に装着部１２１１ａが設けられることで、蛍光表示管１２０の寸法を電子機器１の幅方向に対して増大させることなく、電子機器１にアンテナ１３０を設けることができる。
【００２７】
［変形例］
本発明は、上述した実施形態と異なる形態で実施することが可能である。また、以下に示す変形例は、各々を適宜に組み合わせてもよい。
（変形例１）
上述した実施形態では、蛍光表示管１２０の表示パネル１２１１にアンテナ１３０が設けられていたが、蛍光表示管１２０のこれ以外の位置にアンテナ１３０が設けられてもよい。以下の説明において、上述した実施形態と同じ構成については同じ符号を付して表し、その説明を省略する。
図６，７は、電子機器１をある高さ位置で切断した場合の、この変形例の蛍光表示管１２０の断面図である（図４のＶ−Ｖ線断面図）。
まず、図６に示すように、アノード１２４が設けられる背面基板１２１２に、アンテナ１３０が設けられてもよい。例えば、電子機器１の幅方向であり、一対の支持部材１２５が並べられる方向に対して、支持部材１２５よりも更に外側にスペースを確保して、アンテナ１３０を装着するための一対の装着部１２１２ａが設けられる。この場合も、上述した実施形態と同様、外囲器１２１の内部空間を電波のパターン形成面が向くように、アンテナ１３０が装着部１２１２ａに装着される。
なお、この構成の場合、上述の実施形態と同じ寸法の表示領域１４１を確保する場合に非表示領域１４２を拡大することが好ましい。また、外囲器１２１の内部にアンテナ１３０を設ける構成において、背面基板１２１２に上記構成の装着部を設けて、この装着部にアンテナ１３０が装着されてもよい。
【００２８】
また、図７に示すように、アノード１２４が設けられる背面基板１２１２を電子機器１の幅方向に拡大して、外囲器１２１からみた外部にアンテナ１３０が設けられてもよい。この場合、アンテナ１３０を装着するための一対の装着部１２１２ｂが外囲器１２１の外側の面に設けられる。この場合も、上述した実施形態と同様、装着部１２１２ｂと反対側をパターン形成面が向くように、アンテナ１３０が装着部１２１２ｂに装着される。この構成では、表示面１４の法線方向に対して筐体１１の前面に重なり、かつ、表示面１４に重ならないようにアンテナ１３０が設けられる。よって、アンテナ１３０は電子機器の外部からは更に目視されにくくなる。また、外囲器１２１全体が電波を透過させる素材で構成されているから、図７に示す構成であっても、アンテナ１３０を用いた無線通信が妨げられることがない。
【００２９】
また、本発明の装着部は、装着されたアンテナが表示素子から表示パネルに向かう可視光を妨げないように設けられていれば、前掲の位置に限定されない。アンテナ１３０は、例えば超音波や赤外光よりも高い周波数帯の電磁波である電波を送受信するものである。よって、アンテナ１３０のパターン形成面（つまり、電波の送受信に用いられる面）は、筐体１１内部において開口部１１１に向けられていなくてもよい。例えば、アンテナ１３０のパターン形成面の法線方向に開口部１１１が位置しない配置であってもよい。また、アンテナ１３０のパターン形成面と開口部１１１との間に電磁波（例えば、可視光や赤外光、超音波）を遮る部材が設けられていたとしても、開口部１１１とアンテナ１３０のパターン形成面との間が電波を透過する媒質が連なっていれば、アンテナ１３０は、開口部１１１に位置する表示パネル１２１１を通過する電波を送受信することができる。
【００３０】
（変形例２）
上述した実施形態では、外囲器１２１全体が電波を透過する素材で形成されていたが、アンテナ１３０により送受信される電波の伝搬経路とならない部分については、電波を透過させない素材、つまり、導電性を有している素材で形成されていてもよい。また、蛍光表示管１２０では、表示面１４を構成する表示パネル１２１１が少なくとも光を透過すれば、アノード１２４の駆動に応じた情報の表示が可能である。したがって、外囲器１２１のうち情報の表示の妨げとならない部分については、可視光を透過しない素材で形成されていてもよい。
また、上述した実施形態の電子機器１では、表示面１４が表示領域１４１と非表示領域１４２とにより構成されていたが、表示面１４が表示領域１４１のみで構成されていてもよい。
【００３１】
（変形例３）
本発明の電子機器は、上述した実施形態のようなオーディオビデオプレーヤに限定されない。本発明の電子機器は、ビデオコンテンツの録画再生機やＡＶ（Audio Visual）アンプ、テレビ、カーナビゲーション装置、携帯電話機、タッチパネルを備えた機器などが挙げられる。要するに、少なくとも本体前面部が電波を遮断する部材で構成され、かつ、開口部が形成されている筐体の内部に表示装置を有している電子機器に、本発明を適用することができる。
【００３２】
また、本発明の表示装置は、いわゆる蛍光表示管に限定されない。本発明の表示装置は、例えば液晶表示装置やプラズマディスプレイパネル、フィールドエミッションディスプレイなどの表示装置であってもよい。この場合、本発明の表示素子は例えば画素に対応する。この場合、画素は、バックライトが照射する可視光を通過させる割合を変化させる液晶素子を含むものや、それ自体が発光する有機ＥＬ（Electro Luminescence）素子を含むものが考えられる。要するに、本発明の表示素子は、表示パネルを透過する可視光によって情報を表示するものであれば、その駆動方法やその素子自体の発光の有無については特に問われない。このような表示装置でも、上述した実施形態と同様の理由により、他の基板よりも表示パネルにアンテナ１３０が設けられることが好適であると考えられる。
また、本発明の表示パネルは、例えば電子機器１に対して開閉可能な蓋状に構成されてもよく、表示装置の表示パネルとしての機能を実現し、かつ、電子機器の筐体の開口部に位置することがあるものであればよい。
【００３３】
本発明のアンテナは、無線ＬＡＮを利用して無線通信するものに限らず、他の近距離無線通信方式などの無線通信を実現するためのアンテナであってもよい。また、本発明のアンテナは、電波の送信又は受信の一方のみを行うものであってもよい。要するに、本発明のアンテナは、その構造や無線通信方式について特定のものに限定されない。
【符号の説明】
【００３４】
１…電子機器、１１…筐体、１２１１ａ，１２１２ａ，１２１２ｂ…装着部、１１０…電子部品群、１１１…開口部、１２…操作ボタン、１２０…蛍光表示管、１２１…外囲器、１２１１…表示パネル，１２１２…背面基板、１２１３…側板、１２２…フィラメントカソード、１２３…グリッド電極、１２４…アノード、１２５…支持部材、１３…トレイ、１３０，１３０ａ，１３０ｂ…アンテナ、１４…表示面、１４１…表示領域、１４２…非表示領域
【図１】
2012093381.tif 000003
【図２】
2012093381.tif 000004
【図３】
2012093381.tif 000005
【図４】
2012093381.tif 000006
【図５】
2012093381.tif 000007
【図６】
2012093381.tif 000008
【図７】
2012093381.tif 000009